(57)【要約】【課題】レンズの係合部付近においても、凹凸形状ができるだけ連続的に見えるような照明用レンズを提供する。【解決手段】相手部材に係合する係合部を具備した照明器具用レンズであって、相手部材と係合部１がいずれか一方に備わる係合爪８によって他方に係合し、レンズ裏面１１に光を拡散する凹凸形状が設けられ、係合部１がレンズ裏面１１に配置されると共に該レンズ裏面１１と係合部１の頂端面３との間に凹凸形状が設けられた中間面５を具備したことを特徴とする照明器具用レンズを提供する。【選択図】図１
2008094159.tif 000002
【特許請求の範囲】
【請求項１】
相手部材に係合する係合部を具備した照明器具用レンズであって、前記相手部材と前記係合部がいずれか一方に備わる係合爪によって他方に係合し、レンズ裏面に光を拡散する凹凸形状が設けられ、前記係合部が前記レンズ裏面に配置されると共に該レンズ裏面と前記係合部の頂端面との間に凹凸形状が設けられた中間面を具備したことを特徴とする照明器具用レンズ。
【請求項２】
前記係合部の頂端面の少なくとも一部に凹凸形状が設けられたことを特徴とする請求項１に記載の照明器具用レンズ。
【請求項３】
前記中間面が前記レンズ裏面と略平行であることを特徴とする請求項１又は２に記載の照明器具用レンズ。
【請求項４】
前記係合部の厚さが、その厚さ方向における前記レンズ裏面の凹凸形状の単位長さと略等しくなるように設定されていることを特徴とする請求項１から３のいずれか一つに記載の照明器具用レンズ。
【発明の詳細な説明】
【技術分野】
【０００１】
本発明は、照明器具用レンズ、特に、車両用のオーバーヘッドのマップランプ等に用いられる照明器具用レンズに関する。
【背景技術】
【０００２】
車両用のオーバーヘッドのマップランプ（図４）に用いられる照明器具用レンズ１０は、パネル１５に嵌め込んだときにしっかりと固定されるように係合爪１３を備えた係合部１２を有しており（図７）、レンズ裏面１１には、光を拡散し、乗客がその照明器具を見たとき美感を生ずるように、その表面の拡大図を図６に示すような複数のピラミッド形状が一面に形成されている。さらに、レンズ裏面１１の周囲に亘ってリブ２が形成されており、リブ２の頂端面７には図７に拡大図を示すように、前述のピラミッド形状と同様に、光を拡散し、美感を生じさせるための凹凸形状が形成されている。そして、リブ２の頂端面７と略平行な係合部１２の頂端面１４にも同様に凹凸形状が形成されている。
【発明の開示】
【発明が解決しようとする課題】
【０００３】
これら凹凸形状は、係合部１２の付近を図８の位置αに示すようなレンズ表面に対して略垂直方向から見たときには、凹凸形状が連続的に見えるために見た目上美しく見えるが、位置βに示すような斜め方向から見たときには、視線Ｘに示すように凹凸形状の切れ目が見えてしまい、見た目上美しくないという問題がある。
【０００４】
本発明は上記問題に鑑み、レンズの係合部付近においても、凹凸形状ができるだけ連続的に見えるような照明用レンズを提供することを目的とする。
【課題を解決するための手段】
【０００５】
請求項１に記載の発明によれば、相手部材に係合する係合部を具備した照明器具用レンズであって、前記相手部材と前記係合部がいずれか一方に備わる係合爪によって他方に係合し、レンズ裏面に光を拡散する凹凸形状が設けられ、前記係合部が前記レンズ裏面に配置されると共に該レンズ裏面と前記係合部の頂端面との間に凹凸形状が設けられた中間面を具備したことを特徴とする照明器具用レンズが提供される。凹凸形状が設けられた中間面を具備したことによって、前述したような斜め方向から係合部付近を見ても、凹凸形状が連続的に設けられているように見える。
【０００６】
また、請求項２に記載の発明によれば請求項１に記載の発明において、前記係合部の頂端面の少なくとも一部に凹凸形状が設けられたことを特徴とする照明器具用レンズが提供される。係合部の頂端面にも凹凸形状を設けることによって、さらに凹凸形状の配置される密度が高まり、隙間無く連続的に設けられているように見える。
【０００７】
また、請求項３に記載の発明によれば請求項１又は２に記載の発明において、前記中間面が前記レンズ裏面と略平行であることを特徴とする照明器具用レンズが提供される。この様に面を略平行に揃えることによって、より美感を生じさせる。
【０００８】
また、請求項４に記載の発明によれば請求項１から３のいずれか一つに記載の発明において、前記係合部の厚さが、その厚さ方向における前記レンズ裏面の凹凸形状の単位長さと略等しくなるように設定されていることを特徴とする照明器具用レンズが提供される。係合部の厚みをこの様に設定することによって、前述したような斜め方向から見たときにより美感を生じさせる。ここで、係合部の厚みとは、後述する図２において紙面垂直方向における長さをいう。
【発明の効果】
【０００９】
各請求項に記載の発明によれば、係合部付近を斜め方向から見ても、凹凸形状が略連続的にあるように見え、美感を生ずるという共通の効果を奏する。
【発明を実施するための最良の形態】
【００１０】
図１は、図７の従来型のレンズの係合部１２と同様にリブ２に備わる本発明の実施形態による係合部１の拡大図を示す。その側面にはパネル１５側に備わる係合爪８（図示略）と係合する貫通孔４が設けられている。リブ２の頂端面７と略平行な貫通孔４のレンズ側の内壁面５には、リブ２に設けられた凹凸形状と同様の凹凸形状又は図６に示すようなレンズ裏面の形状と同様の形状が設けられている。さらに、好ましくは、その内壁面５には一部が突出した突出部６が形成されており、係合爪８が係合する際に位置決めし且つ保持する役割を果たしている。
【００１１】
図２の内壁面５を含む平面とリブ２の頂端面７を含む平面との距離は、従来の構造である図８の係合部１２の頂端面１４を含む平面とリブ２の頂端面７を含む平面との距離よりも短い。これを図４の線Ａ−Ａで切り取られた断面によって、従来型のレンズの係合部及び本発明の実施形態によるレンズの係合部の係合爪との係合状態を図３に示すように比較すると、高さＨだけ短くなる。これを実際の視認したイメージ図を用いると、従来の構造では図８に視線Ｘで示すような凹凸形状の切れ目が見えてしまっていたのに対して、図２の位置βにおける視線Ｘのように、凹凸形状がほとんど切れ目なく連続的に見えるようにすることが可能となる。
【００１２】
さらに、好ましくは、リブ２の頂端面７と略平行な係合部１の頂端面３の一部にも図１及び２に示すように凹凸形状９が設けられ、それによって、係合部１の付近を図２の位置αに示すようなレンズ表面に対して略垂直方向から見たときも、位置βから見たときも、略連続的に凹凸形状があるように見えるようになる。係合部１の頂端面３の凹凸形状９は、全面に亘って形成されていてもよい。さらにより美感を生じさせるために、係合部１の厚さを、その厚さ方向におけるレンズ裏面１１の一つのピラミッド形状の長さと略同一となるように設定すると、より美感を生じさせる効果を奏する。なお、当然のことながら、レンズ裏面１１のピラミッド形状は、その他の凹凸形状でもよい。
【００１３】
前述の実施形態において貫通孔４のレンズ側の内壁面に凹凸形状部分を有していたが、リブ４の頂端面６と略平行な凹凸形状が設けられた面が、リブの頂端面と係合部の頂端面との中間に設けられていれば本発明の目的は達せられ、例えばこのような中間面を、係合部１の側面を切り欠くこと等によって形成してもよい。また、前述の実施形態においては、レンズに備わる係合部１にパネル１５の係合爪８を係合させる構造であったが、前述の中間面を有しているのであれば、この係合の構造が逆でも構わない。すなわち、例えば、係合部１がこのような中間面を備えつつ頂端面３などから横方に突出する係合爪を備え、パネルがその係合爪に係合する穴などを有する構造でもよい。また、前述の実施形態は、リブの頂端面及び係合部の頂端面及び内壁面若しくは中間面がいずれも略平行としたが、少なくとも一つが略平行でなくてもよい。さらに、前述の実施形態において、レンズ裏面にリブが備わりそのリブに係合部が設けられていたが、係合部がリブを介さず、直接レンズ裏面に設けられていてもよい。
【図面の簡単な説明】
【００１４】
【図１】本発明の実施形態によるレンズの係合部の拡大斜視図である。
【図２】本発明の実施形態によるレンズの視認状態を示す図である。
【図３】従来型のレンズの係合部及び本発明の実施形態によるレンズの係合部の係合爪との係合状態を比較するための断面図である。
【図４】一般的なレンズのをパネルに嵌め込んだ状態を示す図である。
【図５】図４に示すレンズの斜視図である。
【図６】図４に示すレンズの裏面に配置されているピラミッド形状の拡大イメージ図である。
【図７】従来型のレンズの係合部の拡大斜視図である。
【図８】従来型のレンズの視認状態を示す図である。
【符号の説明】
【００１５】
１    係合部
２    リブ
３    係合部の頂端面
４    貫通孔
５    内壁面
６    突出部
７    リブの頂端面
８    係合爪
１１    レンズ裏面
【図１】
2008094159.tif 000003
【図２】
2008094159.tif 000004
【図３】
2008094159.tif 000005
【図４】
2008094159.tif 000006
【図５】
2008094159.tif 000007
【図６】
2008094159.tif 000008
【図７】
2008094159.tif 000009
【図８】
2008094159.tif 000010